(57)【要約】【課題】記録媒体に記録された情報が流出するのを抑制する。【解決手段】印刷処理が実行されたことによって載置部に載置された印刷済みの用紙が、載置部から取り出された後に（Ｓ１０１：ＹＥＳ）、スキャナユニットに用紙がセットされれば（Ｓ１０２：ＹＥＳ）、載置部に用紙が戻されたか否かを監視する（Ｓ１０４）。載置部に用紙が戻されなければ不正なスキャン処理は行われなかったと判断される。載置部に用紙が戻されれば（Ｓ１０４：ＹＥＳ）、タッチパネルに、不正なスキャン処理が実行された可能性があることを警告する警告画面を表示され、不正読取である旨を含む履歴がフラッシュメモリに保存される（Ｓ１０６）。【選択図】図３
2015066900.tif 000002
【特許請求の範囲】
【請求項１】
記録媒体に形成された画像を読み取る読取部と、
所定の記録領域に位置する記録媒体に画像を記録する記録部と、
前記記録部により画像が記録された記録媒体が載置される載置部と、
記録媒体を前記記録領域を経由して前記載置部へ搬送する搬送機構と、
前記載置部における記録媒体の検出の有無に応じた信号を出力するセンサと、
記憶部と、
前記読取部、前記記録部、前記搬送機構、前記センサ、及び前記記憶部を制御する制御部とを備えており、
前記制御部は、
前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、
前記センサから継続して受信した信号が、記録媒体の検出を示す信号から記録媒体の非検出を示す信号に変化してから第１所定時間以内に前記読取部による画像の読み取りが開始されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、不正読取である旨を前記記憶部に記憶することを特徴とする画像記録装置。
【請求項２】
前記センサは、前記載置部に載置された記録媒体の載置量に応じた信号を出力可能であり、
前記制御部は、
前記センサから継続して受信した信号が、前記載置量の増加に対応する変化をしたとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、
前記センサから継続して受信した信号が、前記載置量の減少に対応する変化をしてから前記第１所定時間以内に前記読取部による画像の読み取りが開始された場合においても、前記搬送機構により搬送されることなく前記載置部に記録媒体が載置されるか否かの監視を開始し、前記監視中に、前記搬送機構に搬送されることなく前記載置部に記録媒体が載置されたと判断すれば、不正読取である旨を前記記憶部に記憶することを特徴とする請求項１に記載の画像記録装置。
【請求項３】
記録媒体に形成された画像を読み取る読取部と、
所定の記録領域に位置する記録媒体に画像を記録する記録部と、
前記記録部により画像が記録された記録媒体が載置される載置部と、
記録媒体を前記記録領域を経由して前記載置部へ搬送する搬送機構と、
前記載置部における記録媒体の検出の有無に応じた信号を出力するセンサと、
前記読取部、前記記録部、前記搬送機構、及び前記センサを制御する制御部とを備えており、
前記制御部は、
前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、
前記センサから継続して受信した信号が、記録媒体の検出を示す信号から記録媒体の非検出を示す信号に変化してから第１所定時間以内に前記読取部による画像の読取り、及び当該画像の前記記録手段による記録が指示されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、前記読取部により読み取られた画像の記録に係る前記記録部の動作を中断することを特徴とする画像記録装置。
【請求項４】
前記センサは、前記載置部に載置された記録媒体の載置量に応じた信号を出力可能であり、
前記制御部は、
前記センサから継続して受信した信号が、前記載置量の増加に対応する変化をしたとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、
前記センサから継続して受信した信号が、前記載置量の減少に対応する変化をしてから前記第１所定時間以内に前記読取部による画像の読み取りが開始された場合においても、前記搬送機構により搬送されることなく前記載置部に記録媒体が載置されるか否かの監視を開始し、前記監視中に、前記搬送機構に搬送されることなく前記載置部に記録媒体が載置されたと判断すれば、前記読取部により読み取られた画像の記録に係る前記記録部の動作を中断することを特徴とする請求項３に記載の画像記録装置。
【請求項５】
表示部と、
ユーザの操作に応じた情報が入力される入力部とをさらに備えており、
前記制御部は、前記記録部の動作を中断した場合、前記認証情報の入力を促す内容を前記表示部に表示させ、前記入力部から受信した情報が事前に定められた認証情報であると判断したとき、前記記録部の動作を再開させることを特徴とする請求項３又は４に記載の画像記録装置。
【請求項６】
前記制御部は、前記入力部から受信した情報が前記認証情報でない場合、又は、前記認証情報の入力を促す内容を前記表示部に表示させてから第２所定時間以内に前記入力部から操作に応じた情報を受信しない場合には、前記読み取った画像の記録に係る前記記録部の動作を中止させることを特徴とする請求項５に記載の画像記録装置。
【請求項７】
前記画像記録装置を管理する管理装置及び前記画像記録装置に対して記録を指示する記録指示装置のいずれかである外部装置との間でデータ通信を行う通信部をさらに備えており、
前記制御部は、前記入力部から受信した情報が前記認証情報でない場合、又は、前記認証情報の入力を促す内容を前記表示部に表示させてから第２所定時間以内に前記入力部から操作に応じた情報を受信しない場合には、不正読取が行われた旨を、前記通信部を介して前記外部装置に通知することを特徴とする請求項５又は６に記載の画像記録装置。
【請求項８】
前記制御部は、前記読取部による画像の読み取りが完了した時点から第３所定時間が経過する時点までに、前記監視を終了することを特徴とする請求項１〜７のいずれか１項に記載の画像記録装置。
【請求項９】
記録媒体に形成された画像を読み取る読取部、所定の記録領域に位置する記録媒体に画像を記録する記録部、前記記録部により画像が記録された記録媒体が載置される載置部、記録媒体を前記記録領域を経由して前記載置部へ搬送する搬送機構、前記載置部における記録媒体の検出の有無に応じた信号を出力するセンサ、及び、記憶部を備えた画像記録装置を動作させるプログラムであって、
前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能となるように、さらに、
前記センサから継続して受信した信号が、記録媒体の検出を示す信号から記録媒体の非検出を示す信号に変化してから第１所定時間以内に前記読取部による画像の読み取りが開始されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、不正読取である旨を前記記憶部に記憶するように、前記画像記録装置を機能させることを特徴とするプログラム。
【請求項１０】
記録媒体に形成された画像を読み取る読取部、所定の記録領域に位置する記録媒体に画像を記録する記録部、前記記録部により画像が記録された記録媒体が載置される載置部、記録媒体を前記記録領域を経由して前記載置部へ搬送する搬送機構、及び、前記載置部における記録媒体の検出の有無に応じた信号を出力するセンサを備えた画像記録装置を動作させるプログラムであって、
前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能となるように、さらに、
前記センサから継続して受信した信号が、記録媒体の検出を示す信号から記録媒体の非検出を示す信号に変化してから第１所定時間以内に前記読取部による画像の読取り、及び当該画像の前記記録手段による記録が指示されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、前記読取部により読み取られた画像の記録に係る前記記録部の動作を中断するように、前記画像記録装置を機能させることを特徴とするプログラム。
【発明の詳細な説明】
【技術分野】
【０００１】
本発明は、記録媒体に画像を記録するための画像記録装置及びプログラムに関する。
【背景技術】
【０００２】
複数の端末で一台のプリンタを共有する場合、端末から印刷指示を行った後にユーザがプリンタに印刷物を取りに行くまでの間にタイムラグが発生する。その間に他人に印刷物が持ち出されることで情報が流出する可能性がある。これを防止するため、印刷物に印刷指令を出したユーザの個人情報を示すマークをつける技術が知られている（例えば、特許文献１参照）。
【０００３】
【特許文献１】特開２００８−２６２４０７号公報
【発明の概要】
【発明が解決しようとする課題】
【０００４】
しかしながら、プリンタに複写機能やスキャナ機能がついた複合機の場合、他人がその場で印刷物を複写したりスキャンしたりすることで情報を取得することができる。この場合、印刷物自体はプリンタに残っているため、ユーザは情報が流出したことに気がつきにくい。
【０００５】
本発明の目的は、記録媒体に記録された情報が流出するのを抑制することができる画像記録装置及びプログラムを提供することである。
【課題を解決するための手段】
【０００６】
本発明の画像記録装置は、記録媒体に形成された画像を読み取る読取部と、所定の記録領域に位置する記録媒体に画像を記録する記録部と、前記記録部により画像が記録された記録媒体が載置される載置部と、記録媒体を前記記録領域を経由して前記載置部へ搬送する搬送機構と、前記載置部における記録媒体の検出の有無に応じた信号を出力するセンサと、記憶部と、前記読取部、前記記録部、前記搬送機構、前記センサ、及び前記記憶部を制御する制御部とを備えており、前記制御部は、前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、前記センサから継続して受信した信号が、記録媒体の検出を示す信号から記録媒体の非検出を示す信号に変化してから第１所定時間以内に前記読取部による画像の読み取りが開始されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、不正読取である旨を前記記憶部に記憶する。
【０００７】
別の観点からみて、本発明の画像記録装置は、記録媒体に形成された画像を読み取る読取部と、所定の記録領域に位置する記録媒体に画像を記録する記録部と、前記記録部により画像が記録された記録媒体が載置される載置部と、記録媒体を前記記録領域を経由して前記載置部へ搬送する搬送機構と、前記載置部における記録媒体の検出の有無に応じた信号を出力するセンサと、前記読取部、前記記録部、前記搬送機構、及び前記センサを制御する制御部とを備えており、前記制御部は、前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能であり、前記センサから継続して受信した信号が、記録媒体の検出を示す信号から記録媒体の非検出を示す信号に変化してから第１所定時間以内に前記読取部による画像の読取り、及び当該画像の前記記録手段による記録が指示されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、前記読取部により読み取られた画像の記録に係る前記記録部の動作を中断する。
【０００８】
本発明のプログラムは、記録媒体に形成された画像を読み取る読取部、所定の記録領域に位置する記録媒体に画像を記録する記録部、前記記録部により画像が記録された記録媒体が載置される載置部、記録媒体を前記記録領域を経由して前記載置部へ搬送する搬送機構、前記載置部における記録媒体の検出の有無に応じた信号を出力するセンサ、及び、記憶部を備えた画像記録装置を動作させるプログラムであって、前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能となるように、さらに、前記センサから継続して受信した信号が、記録媒体の検出を示す信号から記録媒体の非検出を示す信号に変化してから第１所定時間以内に前記読取部による画像の読み取りが開始されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、不正読取である旨を前記記憶部に記憶するように、前記画像記録装置を機能させる。
【０００９】
別の観点からみて、本発明のプログラムは、記録媒体に形成された画像を読み取る読取部、所定の記録領域に位置する記録媒体に画像を記録する記録部、前記記録部により画像が記録された記録媒体が載置される載置部、記録媒体を前記記録領域を経由して前記載置部へ搬送する搬送機構、及び、前記載置部における記録媒体の検出の有無に応じた信号を出力するセンサを備えた画像記録装置を動作させるプログラムであって、前記センサから継続して受信した信号が、記録媒体の非検出を示す信号から検出を示す信号に変化したとき、記録媒体が前記搬送機構により搬送されて前記載置部に載置された、及び、前記搬送機構により搬送されることなく前記載置部に載置された、のいずれであるかを、前記搬送機構による記録媒体の搬送の有無に基づいて判断することが可能となるように、さらに、前記センサから継続して受信した信号が、記録媒体の検出を示す信号から記録媒体の非検出を示す信号に変化してから第１所定時間以内に前記読取部による画像の読取り、及び当該画像の前記記録手段による記録が指示されると、前記搬送機構により搬送されることなく前記載置部に記録媒体が載置されるか否かの監視を開始し、前記監視中に、前記搬送機構に搬送されることなく前記載置部に記録媒体が載置されたと判断すれば、前記読取部により読み取られた画像の記録に係る前記記録部の動作を中断するように前記画像記録装置を機能させる。
【発明の効果】
【００１０】
本発明によると、搬送機構により搬送されることなく載置部に記録媒体が載置されたと監視中に判断されれば、記録媒体に記録された画像が読取部により読み取られた可能性が高いと考えられるため、不正読取である旨を記憶部に記憶したり、当該読み取った画像の記録に係る記録部の動作を中断したりすることで、記録媒体に記録された情報が流出するのを抑制することができる。
【図面の簡単な説明】
【００１１】
【図１】本発明の一実施形態に係る複合機（ＭＦＰ）内部を示す概略側面図である。
【図２】図１に示すＭＦＰの機能ブロック図である。
【図３】図２に示す制御プログラムによって実行される監視処理に関する処理の動作手順を示すフローチャートである。
【図４】変形例を説明するための図である。
【発明を実施するための形態】
【００１２】
以下、本発明の一実施形態に係る画像記録装置について、添付図面を参照しつつ詳細に説明する。本実施形態は、スキャナ機能及び印刷機能を有する複合機（ＭＦＰ：Multi Function Peripheral）に本発明を適用したものである。
【００１３】
図１に示すように、ＭＦＰ１は、共に直方体形状の上筐体１１及び下筐体１２を有している。なお、図１における左側面が正面３となっている。なお、図１における右側面が背面４となっている。上筐体１１は下面が開口し、下筐体１２は上面が開口している。上筐体１１は、下筐体１２に対して回動軸１３を中心に回動可能に連結されている。上筐体１１の上面には、載置部１５が設けられている。載置部１５には、印刷が完了して排出された用紙Ｐが順に載置される。載置部１５の排出方向に関する上流側に、排紙センサ１９が配置されている。排紙センサ１９は、載置部１５に載置された用紙の有無に応じた信号を出力する反射型センサである。排紙センサ１９は、載置部１５に載置された用紙が有ればＯＮを、無ければＯＦＦを制御装置１ｐに出力する。
【００１４】
さらに、ＭＦＰ１の内部空間には、インクジェットヘッド２と、用紙トレイ２０と、搬送機構３０と、プラテン９とが配置されている。
【００１５】
インクジェットヘッド２は、その下面に、インク滴が吐出される複数のノズルが形成された吐出面を有している。用紙トレイ２０は、積層された複数の用紙Ｐを保持可能であり、下筐体１２の底面に着脱自在に配置されている。プラテン９は、用紙を支持するための板部材であり、上筐体１１が閉位置にあるとき、インクジェットヘッド２の吐出面と対向するように下筐体１２に固定されている。
【００１６】
搬送機構３０は、用紙トレイ２０からインクジェットヘッド２とプラテン９との間を通過して載置部１５まで至る用紙Ｐの搬送経路を構成するものである。搬送機構３０は、ピックアップローラ３１と、ニップローラ３２ａ〜３２ｅと、ガイド３３ａ〜３３ｄとを含んでいる。ピックアップローラ３１は、用紙トレイ２０に積層されている用紙Ｐを上方から１枚ずつ送出する。ニップローラ３２ａ〜３２ｅは、搬送経路に沿って配置されており、用紙Ｐに搬送力を付与する。ガイド３３ａ〜３３ｄは、搬送経路においてピックアップローラ３１及びニップローラ３２ａ〜３２ｅの間にそれぞれ配置されており、ニップローラ３２ａ〜３２ｅによって搬送力が付与された用紙Ｐが次のニップローラ３２ａ〜３２ｅに到達するまで当該用紙Ｐをガイドする。搬送機構３０によって搬送された用紙Ｐは、インクジェットヘッド２とプラテン９との間である印刷領域（記録領域）を通過する際に、インクジェットヘッド２のノズルから吐出されたインク滴によって画像が印刷される。画像が印刷された用紙Ｐは、搬送機構３０によってさらに搬送され、載置部１５に載置される。
【００１７】
搬送経路におけるニップローラ３２ｂのすぐ下流側には、用紙センサ１８が配置されている。搬送機構によって搬送されている用紙Ｐの搬送方向に関する下流側端部が用紙センサ１８の下方を通過したとき、用紙センサ１８の出力信号が変化する。この変化タイミングによってインクジェットヘッド２のノズルから吐出されるインク滴の吐出タイミングが決定される。
【００１８】
上筐体１１の上面には、載置部１５の一部を覆うようにスキャナユニット４０が設置されている。スキャナユニット４０は、スキャナ本体４１と、スキャナ本体４１の上面に配置されたフィーダ４２とを有している。フィーダ４２の上面には、給紙トレイ４３が形成されている。給紙トレイ４３にセットされた原稿（用紙）は、フィーダ４２によって図１右方に移動し右端において上面を外周面として進行方向を１８０°変えることで表裏反転し、スキャナ本体４１の上面（読み取り部：図示せず）を通過した後に、図１左方から排出されて排紙トレイ４４に載置される。用紙がスキャナ本体４１の読み取り部を通過するとき、スキャナ本体４１は用紙の表面に形成された画像を読み取り、画像データを生成する。このように、給紙トレイ４３に複数枚の原稿を積層状態でセットすることで、この複数枚の原稿を連続して読み取ることができる。
【００１９】
スキャナ本体４１の上面には、原稿を直接載置することができる読み取り面（図示せず）が形成されている。軸４５を中心にしてフィーダ４２を上方に回動させることにより、スキャナ本体４１の読み取り面（フラットベッド）が露出する。露出させた読み取り面に原稿を直接セットすることで、スキャナ本体４１に原稿を一枚ずつ読み取らせることもできる。
【００２０】
給紙トレイ４３及びスキャナ本体４１の読み取り面に、原稿がセットされたか否かを検知するセンサ４７が配置されており、スキャナユニット４０は、給紙トレイ４３及びスキャナ本体４１の読み取り面のいずれかに原稿がセットされていればＯＮを、いずれにも原稿がセットされていなければＯＦＦを、以下に説明する制御装置１ｐに出力する。
【００２１】
ＭＦＰ１は制御装置１ｐを有する。制御装置１ｐは、図２に示すように、ＣＰＵ５１と、ＲＯＭ５２と、ＲＡＭ５３と、フラッシュメモリ５４と、ネットワークインターフェース５５とを備えている。また、制御装置１ｐは、ヘッド２と、搬送機構３０と、スキャナユニット４０と、タッチパネル１７と、用紙センサ１８と、排紙センサ１９とに、電気的に接続されている。
【００２２】
タッチパネル１７は、入力機能及び表示機能を備えたユーザインターフェースであり、動作状況の表示やユーザによる入力操作の受付を行う
【００２３】
ＲＯＭ３２には、ＭＦＰ１を制御するための制御プログラム５２ａであるファームウェアや各種設定、初期値等が記憶されている。ＲＡＭ５３およびフラッシュメモリ５４は、各種制御プログラムが読み出される作業領域として、あるいはデータを一時的に記憶する記憶領域として利用される。さらに、フラッシュメモリ５４には、ＭＦＰ１の固有情報としてＩＰ（Internet Protocol）アドレスなどが記憶されている。
【００２４】
ＣＰＵ５１は、ＲＯＭ５２から読み出した制御プログラム５２ａや各種センサから送られる信号に従って、その処理結果をＲＡＭ５３またはフラッシュメモリ５４に記憶させながら、ＭＦＰ１の各構成要素を制御する。
【００２５】
ネットワークインターフェース５５は、ＭＦＰ１と同じＬＡＮ（Local Area Network）に接続された各種装置との間でデータの送受信を行う。データの送受信は、無線であってもよいし、有線であってもよい。
【００２６】
ＭＦＰ１は、制御プログラム５２ａが実行されることによって、タッチパネル１７、又は、ＬＡＮ（ネットワークインターフェース５５）を介してＰＣ（Personal Computer）から受信したコマンドに従って各種処理を実行させることができる。この処理には、スキャン処理、印刷処理、コピー処理、及び、監視処理が含まれる。スキャン処理が実行されると、スキャナユニット４０にセットされた原稿がスキャナユニット４０に読み取られ、原稿に形成された画像に関する画像データが生成される。生成された画像データは、ＭＦＰ１内の記憶装置に記憶されたり、ＬＡＮを介してコマンドの送信元やユーザの指定先に送信されたりする。印刷処理が実行されると、コマンドと共に受信した画像データに係る画像が、印刷機構１０により用紙に印刷される。コピー処理が実行されると、スキャン処理によって生成された画像データについて、さらに印刷処理が実行される。これにより、原稿の画像が用紙に複写される。監視処理の実行中には、印刷処理が実行されたことにより載置部１５に載置された用紙が、不正にスキャナユニット４０にセットされてスキャン処理が実行された可能性があるか否かを監視する
【００２７】
図３を参照しつつ、監視処理に関連した処理の動作手順について詳細に説明する。図３に示すように、監視処理に関連した処理が開始されると、ＣＰＵ５１は、排紙センサ１９の出力がＯＮからＯＦＦに変化したか否か、つまり、印刷処理が実行されたことによって載置部１５に載置された印刷済みの用紙が、載置部１５から取り出されたか否かを判断する（Ｓ１０１）。ＣＰＵ５１は、排紙センサ１９の出力がＯＮからＯＦＦに変化していないと判断すると（Ｓ１０１：ＮＯ）、排紙センサ１９の出力がＯＦＦに変化するまで待機する。
【００２８】
ＣＰＵ５１は、排紙センサ１９の出力がＯＦＦに変化したと判断すると（Ｓ１０１：ＹＥＳ）、スキャナユニット４０から出力される信号に基づいてスキャナユニット４０に用紙（原稿）がセットされたか否か、言い換えれば、先の印刷処理に続いてスキャナ処理が開始されるか否かを判断する（Ｓ１０２）。ＣＰＵ５１は、スキャナユニット４０に用紙がセットされていないと判断すると（Ｓ１０２：ＮＯ）、排紙センサ１９の出力がＯＮからＯＦＦに変化したときから、所定時間（第１所定時間：本実施形態においては１分）が経過したか否かを判断する（Ｓ１０３）。ＣＰＵ５１は、所定時間が経過していないと判断したときは（Ｓ１０３：ＮＯ）、スキャナユニット４０に用紙がセットされているか否かの判断を繰り返す（Ｓ１０２）。ＣＰＵ５１は、所定時間が経過したと判断したときは（Ｓ１０３：ＹＥＳ）、不正なスキャン処理は行われなかったという判断で、図３のフローチャートを終了する。
【００２９】
ＣＰＵ５１は、スキャナユニット４０に用紙がセットされたと判断すると（Ｓ１０２：ＹＥＳ）、載置部１５に用紙が戻されたか否かを判断する（Ｓ１０４）。このように、先の印刷処理に続いて所定時間が経過する前にスキャナ処理が開始されたとき、載置部１５に用紙が戻されたか否かの監視が開始される（監視処理の開始）。なお、用紙搬送（印刷処理に含まれるが印刷を伴わない用紙搬送であってもよい）が実行されることによって用紙が載置部１５に排紙される場合は、用紙センサ１８の出力がＯＦＦからＯＮに変化してから所定時間内に、排紙センサ１９の出力がＯＮとなる。一方、載置部１５に用紙が戻される場合は、用紙センサ１８の出力がＯＦＦのまま変化することなく、排紙センサ１９の出力がＯＮになる。このように、ＣＰＵ５１は、用紙センサ１８及び排紙センサ１９の出力変化のタイミングに基づいて、載置部１５に用紙が戻されたか否かを判断することができる。一変形例として、ニップローラ３２ｅの動作履歴を利用することで、載置部１５に用紙が戻されたか否かを判断してもよい。
【００３０】
ＣＰＵ５１は、載置部１５に用紙が戻されていないと判断すると（Ｓ１０４：ＮＯ）、スキャナユニット４０に用紙がセットされたと判断したときから、所定時間（第３所定時間：本実施形態においては１分）が経過したか否かを判断する（Ｓ１０５）。ＣＰＵ５１は、所定時間が経過していないと判断したときは（Ｓ１０５：ＮＯ）、載置部１５に用紙が戻されたか否かの判断を繰り返す（Ｓ１０４）。ＣＰＵ５１は、所定時間が経過したと判断したときは（Ｓ１０５：ＹＥＳ）、不正なスキャン処理は行われなかったという判断で、図３のフローチャートを終了する。
【００３１】
ＣＰＵ５１は、載置部１５に用紙が戻されたと判断すると（Ｓ１０４：ＹＥＳ）、タッチパネル１７に、不正なスキャン処理が実行された可能性があることを警告する警告画面を表示させると共に、不正読取である旨を含んだ履歴をフラッシュメモリ５４に保存する（Ｓ１０６）。さらに、ＣＰＵ５１は、タッチパネル１７に認証要求画面を表示させ、先の印刷処理の実行を指示するコマンドの発行元ユーザに関する認証情報の入力を要求する（促す）認証要求画面をタッチパネル１７に表示させる（Ｓ１０７）。
【００３２】
ＣＰＵ５１は、現在、コピー処理における印刷処理が実行されているか否かを判断する（Ｓ１０８）。つまり、排紙センサ１９の出力がＯＮからＯＦＦに変化したときから所定時間が経過する前に開始されたスキャナ処理が、コピー処理に基づくものか否かを判断する。ＣＰＵ５１は、現在、コピー処理における印刷処理が実行されていない、つまり、スキャナ処理のみ実行されたと判断すれば（Ｓ１０８：ＮＯ）、タッチパネル１７に表示させた認証画面に従って、ユーザが入力した認証情報が事前に定められた認証情報と一致したか否かを判断する（Ｓ１０９）。事前に定められた認証情報は、フラッシュメモリ５４や他の記憶部に記憶されていてもよいし、ＭＦＰ１が接続されたＬＡＮを介して管理サーバなど他の装置から受信してもよい。また、ＣＰＵ５１は、タッチパネル１７に認証画面を表示させて所定時間（第２所定時間）以内に認証情報の入力がない場合は、ユーザが入力した認証情報が事前に定められた認証情報と一致しないと判断する。ＣＰＵ５１は、認証情報が一致しないと判断すれば（Ｓ１０９：ＮＯ）、不正なスキャン処理が行われた可能性が高いことを、ＬＡＮ（ネットワークインターフェース５５）を介して管理者が用いる外部装置（サーバや管理ＰＣなど）に通知し（Ｓ１１４）、図３のフローチャートを終了する。ＣＰＵ５１は、認証情報が一致したと判断すれば（Ｓ１０９：ＹＥＳ）、不正なスキャン処理は行われなかったという判断で、図３のフローチャートを終了する。
【００３３】
ＣＰＵ５１は、現在、コピー処理における印刷処理が実行されていると判断すれば（Ｓ１０８：ＹＥＳ）、実行されている印刷処理を中断する（Ｓ１１０）。ＣＰＵ５１は、タッチパネル１７に表示させた認証画面に従って、ユーザが入力した認証情報が事前に定められた認証情報と一致したか否かを判断する（Ｓ１１１）。ＣＰＵ５１は、認証情報が一致したと判断すれば（Ｓ１１１：ＹＥＳ）、不正なスキャン処理は行われなかったという判断で、中断した印刷処理を再開し（Ｓ１１２）、図３のフローチャートを終了する。ＣＰＵ５１は、認証情報が一致しないと判断すれば（Ｓ１１１：ＮＯ）、中断した印刷処理を中止する（Ｓ１１３）。そして、ＣＰＵ５１は、不正なスキャン処理が行われた可能性が高いことを、ＬＡＮを介して管理者に通知し（Ｓ１１４）、図３のフローチャートを終了する。
【００３４】
以上、詳細に説明したように本実施形態のＭＦＰ１によると、先の印刷処理に続いて第１所定時間が経過する前にスキャナ処理が開始されたとき、載置部１５に用紙が戻されたか否かの監視が開始される。監視中に載置部１５に用紙が戻されたと判断されれば、用紙に印刷された画像がスキャナ処理により読み取られた可能性が高いと考えられるため、不正なスキャナ処理が実行された可能性が高いことをタッチパネル１７に表示させたり、履歴を保存したり、管理者に通知したり、さらにコピー処理が実行されているときはコピー処理に係る印刷処理を中断したりすることで、用紙に印刷された情報が流出するのを抑制することができる。
【００３５】
また、不正なスキャン処理が行われた可能性が高いと判断することによってコピー処理に係る印刷処理が中断した場合でも、認証情報の確認により不正なスキャン処理でないことが確定すれば、中断されていた印刷処理が再開されるため、ユーザ所望の処理を確実に実行することができる。
【００３６】
さらに、不正なスキャン処理が行われた可能性が高いと判断することによってコピー処理に係る印刷処理が中断した場合、認証情報が確認できなければ印刷処理が中止されるため、用紙に印刷された情報が流出するのをさらに抑制することができる。
【００３７】
＜変形例＞
本実施形態では、排紙センサ１９が載置部１５に載置された用紙の有無に応じた信号を出力する構成であるが、排紙センサは、用紙の枚数（積載量）に応じた信号を出力する構成であってもよい。例えば、図４に示すように、排紙センサ１１９が、揺動自在なアーム１１９ａを有しており、アーム１１９ａの自由端が載置部１５に載置された用紙の最上面に常に当接するようになっている。載置部１５に載置された用紙の積載量が増減すると、アーム１１９ａの回転位置が変化する。排紙センサ１１９は、アーム１１９ａの回転位置をエンコーダなどで取得して出力する。ＣＰＵ５１は、この出力から載置部１５に載置されている用紙の積載量を検出することができる。
【００３８】
上述の実施形態においては、印刷処理が実行されたことによって載置部１５に載置された印刷済みの用紙が、載置部１５から取り出されたか否かを、排紙センサ１９の出力がＯＮからＯＦＦに変化するか否かで判断する（図３：Ｓ１０１参照）。また、載置部１５に用紙が戻されたか否かを、用紙センサ１８の出力がＯＦＦのまま変化することなく、排紙センサ１９の出力がＯＮになるか否かで判断する（図３：Ｓ１０４参照）。これに対して、本変形例においては、印刷処理が実行されたことによって載置部１５に載置された印刷済みの用紙が、載置部１５から取り出されたか否かを、排紙センサ１１９の出力から検出された用紙の積載量が減少したか否かで判断する。また、載置部１５に用紙が戻されたか否かを、用紙センサ１８の出力がＯＦＦのまま変化することなく、排紙センサ１１９の出力から検出された用紙の積載量が増加したか否かで判断する
【００３９】
これによると、用紙に印刷された情報の一部のみがスキャン処理される場合であっても、これ検知して抑制することができる。
【００４０】
なお、本実施形態は単なる例示にすぎず、本発明を何ら限定するものではない。したがって本発明は当然に、その要旨を逸脱しない範囲内で種々の改良、変形が可能である。例えば、上述の実施形態では、監視中に載置部１５に用紙が戻されたと判断されれば、不正なスキャナ処理が実行された可能性が高いことをタッチパネル１７に表示させたり、履歴を保存したり、管理者に通知したりする構成であるが、少なくとも履歴が保存される構成であればよい。さらに、コピー処理に係る印刷処理を中断するのであれば、不正なスキャナ処理が実行された可能性が高いことをタッチパネル１７に表示させたり、履歴を保存したり、管理者に通知したりしなくてもよい。
【００４１】
また、上述の実施形態においては、不正なスキャン処理が行われた可能性が高いと判断することによってコピー処理に係る印刷処理が中断される構成であるが、印刷処理を中断しない構成であってもよい。
【００４２】
さらに、上述の実施形態においては、不正なスキャン処理が行われた可能性が高いと判断することによってコピー処理に係る印刷処理が中断した場合でも、認証情報の確認により不正なスキャン処理でないことが確定すれば、中断されていた印刷処理が再開される構成であるが、不正なスキャン処理が行われた可能性が高いと判断すればコピー処理に係る印刷処理を中止する構成であってもよい。
【００４３】
さらに、不正なスキャン処理が行われた可能性が高いと判断することによってコピー処理に係る印刷処理が中断した場合、認証情報が確認できなければ印刷処理が中止される構成であるが、認証情報を入力しない構成であってもよい。
【００４４】
上述の実施形態においては、ＭＦＰ１がインクジェット式の印刷機構を有する構成であるが、印刷領域を通過する用紙に画像を印刷することができればよく、印刷方式についてなんら限定されない。例えば、レーザ式の印刷機構を有する構成であってもよい。
【００４５】
さらに、ＭＦＰに本発明を適用した例について説明したが、本発明は、スキャン処理と印刷処理が実行可能なあらゆる装置、例えば、ファクシミリに適用可能である。
【符号の説明】
【００４６】
１…ＭＦＰ
１ｐ…制御装置
２…インクジェットヘッド
１５…載置部
１７…タッチパネル
１８…用紙センサ
１９…排紙センサ
３０…搬送機構
４０…スキャナユニット
４１…スキャナ本体
４２…フィーダ
４３…給紙トレイ
４４…排紙トレイ
５１…ＣＰＵ
５２…ＲＯＭ
５２ａ…制御プログラム
５３…ＲＡＭ
５４…フラッシュメモリ
５５…ネットワークインターフェース
１１９…排紙センサ
１１９ａ…アーム
【図１】
2015066900.tif 000003
【図２】
2015066900.tif 000004
【図３】
2015066900.tif 000005
【図４】
2015066900.tif 000006